(57)【要約】【課題】水回りに設置しても長期にわたって良好な状態で展示物を展示することができる額縁を提供すること。【解決手段】展示物６を展示するための額縁１であって、前記展示物６を支持する背板部１０と、前記背板部１０に前記展示物６を介して設けられ、前記展示物６の周囲を囲む樹脂からなる板状のマット部３を備えることを特徴とする。これにより、マット部３の耐水性、耐湿性を向上させることができる。そのため、例えば浴室などの湿度の高い場所や水気のある場所などの水回りに設置しても長期にわたって良好な状態で展示物６を展示することができる。【選択図】図１
2008149013.tif 000002
【特許請求の範囲】
【請求項１】
展示物を展示するための額縁であって、
前記展示物を支持する背板部と、
前記背板部に前記展示物を介して設けられ、前記展示物の周囲を囲む樹脂からなる板状のマット部を備えることを特徴とする額縁。
【請求項２】
前記背板部と前記マット部との間において、前記展示物の表面に接触させて設けられる保護板部を備えることを特徴とする請求項１に記載の額縁。
【請求項３】
前記マット部が、無発泡性の塩化ビニル樹脂よりも分子間密度が低い部材からなることを特徴とする請求項１又は請求項２に記載の額縁。
【請求項４】
前記マット部が、発泡性の塩化ビニル樹脂からなることを特徴とする請求項３に記載の額縁。
【請求項５】
前記保護板部が、アクリル板であることを特徴とする請求項１から請求項４のいずれか一項に記載の額縁。
【請求項６】
前記展示物が、クリスタルペーパーからなることを特徴とする請求項１から請求項５のいずれか一項に記載の額縁。
【発明の詳細な説明】
【技術分野】
【０００１】
本発明は、各種展示物を展示するための額縁に関する。
【背景技術】
【０００２】
従来より、例えば、絵画、写真、リトグラフなどの展示物を室内などに展示するために額縁が利用されている（例えば、特許文献１参照。）。これら額縁は、展示物を支持する背板と、この背板に展示物を介して設けられるマット部と、これら背板及びマット部の全周にわたって設けられるフレームとが設けられているものが一般的である。
そして、背板に展示物が支持された状態でその背板が壁などに固定されることにより、展示物が展示される。
【特許文献１】特開２００６−１８７４００号公報
【発明の開示】
【発明が解決しようとする課題】
【０００３】
しかしながら、上記のような額縁は、例えば浴室などの湿度の高い場所や水気のある場所に設置すると、マット部が水分などによって変形してしまうという問題がある。
【０００４】
本発明は、このような事情に鑑みてなされたものであって、水回りに設置しても長期にわたって良好な状態で展示物を展示することができる額縁を提供することを目的とする。
【課題を解決するための手段】
【０００５】
上記課題を解決するために、本発明は以下の手段を提供する。
本発明は、展示物を展示するための額縁であって、前記展示物を支持する背板部と、前記背板部に前記展示物を介して設けられ、前記展示物の周囲を囲む樹脂からなる板状のマット部を備えることを特徴とする。
【０００６】
この発明によれば、マット部の耐水性、耐湿性を向上させることができる。
【０００７】
また、本発明は、前記背板部と前記マット部との間において、前記展示物の表面に接触させて設けられる保護板部を備えることを特徴とする。
【０００８】
この発明によれば、保護板部が展示物に接触していることから、保護板部に水滴などが付着することを防止することができる。そのため、水回りに設置しても長期にわたって良好な状態で展示物を展示することができる。
【０００９】
また、本発明は、前記マット部が、無発泡性の塩化ビニル樹脂よりも分子間密度が低い部材からなることを特徴とする。
【００１０】
この発明によれば、マット部が、無発泡性の塩化ビニル樹脂よりも分子間密度が低い部材からなることから、マット部の加工を容易にすることができる。
【００１１】
また、本発明は、前記マット部が、発泡性の塩化ビニル樹脂からなることを特徴とする。
【００１２】
この発明によれば、マット部が、発泡性の塩化ビニル樹脂からなることから、マット部の加工をさらに容易にすることができるだけでなく、切り口を白色にかつ平坦面にすることができる。
【００１３】
また、本発明は、前記保護板部が、アクリル板であることを特徴とする。
【００１４】
この発明によれば、保護板部が、アクリル板であることから、展示物を確実に保護することができる。
【００１５】
また、本発明は、前記展示物が、クリスタルペーパーからなることを特徴とする。
【００１６】
この発明によれば、展示物が、クリスタルペーパーからなることから、展示物自体の耐水性、耐湿性を向上させることができる。
【発明の効果】
【００１７】
本発明によれば、マット部の耐水性、耐湿性を向上させることができ、水回りに設置しても長期にわたって良好な状態で展示物を展示することができる。
【発明を実施するための最良の形態】
【００１８】
（実施形態１）
以下、本発明の第１の実施形態における額縁について、図面を参照して説明する。
図１は、本発明の第１の実施形態としての額縁を示したものである。
図２は、図１の額縁の分解斜視図である。
額縁１は、例えば写真６を展示するためのものである。
写真６は、ポリエステルからなり平滑性を有するクリスタルペーパーに感光剤が塗布されて作成されたものである。
【００１９】
額縁１は、アクリルの板からなる背板１０を備えている。背板１０は、長方形状かつ板状に形成されており、その表面（一方の主面）の中央に写真６が貼り付けられるようになっている。これにより、写真６は背板１０に支持されるようになっている。
背板１０の表面には、透明なアクリル板５が設けられている。アクリル板５は、長方形状かつ板状に形成されており、背板１０と同等の大きさになっている。アクリル板５は、背板１０の表面に、写真６を挟んで、厚さ方向に重ね合わされている。アクリル板５が背板１０の表面に重ね合わされた状態で、写真６の表面とアクリル板５の裏面とが全面にわたって隙間なく接触している。
【００２０】
アクリル板５の表面には、長方形状かつ板状に形成されたマット部３が厚さ方向に重ね合わされている。マット部３は、低発泡性（微発泡性）の塩化ビニル樹脂からなっており、背板１０及びアクリル板５と同等の大きさになっている。マット部３の中央部には、長方形状の開口部４が形成されている。開口部４を区画する内周壁面７の表面は、白色であって平坦面であることが好ましいとされている。また、内周壁面７の面に沿って高さ方向に延びる線と、マット部３の裏面に沿って長手方向に延びる線とのなす角θは、４５度に設定されることが好ましいとされている。
この開口部４は、アクリル板５に重ね合わされた状態で、写真６と一致する位置に配されるようになっている。そのため、写真６は、アクリル板５及び開口部４を介して、外方から鑑賞されるようになっている。
【００２１】
背板１０、アクリル板５及びマット部３の外縁部には、長方形状かつ枠状のフレーム２が設けられており、これにより、背板１０、アクリル板５及びマット部３が互いに重ね合わされた状態で固定されるようになっている。フレーム２の材質は、金属、プラスチックなど耐湿性、耐水性を有するものであれば何でもよい。
【００２２】
次に、このように構成された本実施形態における額縁１の取り付け方法について説明する。
まず、背板１０の表面の中央に、写真６を貼り付ける。そして、背板１０の表面に、写真６を介してアクリル板５を重ね合わせる。さらに、アクリル板５の表面にマット部３を重ね合わせる。このとき、写真６と開口部４とが一致した位置に配されて、写真６が外方から視認することができるようになる。このように、背板１０、アクリル板５及びマット部３を重ね合わせた状態で、それら外縁部にフレーム２を設け、それらアクリル板５及びマット部３を互いに固定する。
この状態で、額縁１を壁などに固定することにより、写真６が展示される。
【００２３】
ここで、従来では、紙製のマット部などが水分を吸収してしまうため、水回りなどに額縁を長期にわたって設置することができなかった。
本実施形態における額縁１では、マット部３が低発泡性の塩化ビニル樹脂からなっていることから、マット部３の耐水性、耐湿性を向上させることができ、額縁１を水回りに設置しても長期にわたって良好な状態で写真６を展示することができる。
【００２４】
なお、耐水性、耐湿性を向上させるマット部として、無発泡の塩化ビニル板やアルミなどの金属板を利用することが考えられる。
ここで、マット部は、開口部を形成したり、内周壁面の角度θを４５度に設定したりするため、専用のマットカッターで加工することが一般的である。
しかし、無発泡の塩化ビニル板やアルミなどの金属板などでは、硬すぎて、従来のマットカッターで加工することが困難である。
また、高発泡のスチレンボードを利用することも考えられるが、開口部を形成したときの切り口、すなわち内周壁面７の表面に気泡の跡が現れてしまい、内周壁面７を平坦面にすることができない。
そこで、本実施形態におけるマット部３のように、分子間密度が低く軟らかい低発泡性の塩化ビニル樹脂を利用することにより、従来のマットカッターでも容易に加工することができるだけでなく、切り口である内周壁面７の表面を平坦面にすることができる。そのため、低発泡性の塩化ビニル樹脂であれば、耐水性、耐湿性を向上させたマット部３として容易に利用することができる。
【００２５】
また、マット部３の表面を塗装することにより、デザイン的な自由度を向上させることができるだけでなく、切断したときにその切り口が白色となるため、切り口である内周壁面７の表面の色を容易に白色にすることができる。さらに、マット部３の表面の塗装を従来のマット部で利用されていた色に合わせることにより、従来のマット部の外観的な質感を維持することができる。
【００２６】
また、アクリル板５の裏面を写真６に接触させているため、アクリル板５の裏面に、水滴などが付着することを防止することができる。すなわち、従来では、水回りに額縁を設置すると、水蒸気により、透明な保護板の裏面が曇ってしまうことがあり、この点からも、水回りに設置することが困難だった。
本実施形態による額縁１では、上述のように、アクリル板５の裏面を写真６に接触させていることから、アクリル板５の裏面に水滴などが付着することを防止することができ、そのため、額縁１を水回りに設置しても長期にわたって良好な状態で写真６を展示することができる。
また、写真６がクリスタルペーパーからなるので、展示物自体の耐水性、耐湿性を向上させることができ、額縁１をさらに長期にわたって確実に水回りに設置することができる。すなわち、通常の写真の場合、印画紙が水分を吸収してしまうが、本実施形態の写真６は、ポリエステルからなるクリスタルペーパーを利用しているので、耐水性、耐湿性を向上させることができる。
また、背板１０がアクリルからなることから、木製などのものと比べてもさらに耐水性、耐湿性を向上させることができる。
また、フレーム２が金属、プラスチックなど耐湿性、耐水性を有するものからなっていることから、さらに長期にわたって良好な状態で写真６を展示することができる。
【００２７】
なお、本実施形態においては、マット部３が低発泡性の塩化ビニル樹脂からなるとしたが、これに限ることはなく、その材質は適宜変更可能である。例えば、樹脂であってもよいし、無発泡性の塩化ビニル樹脂よりも分子間密度が低い部材であってもよい。ただし、低発泡性の塩化ビニル樹脂とした方が好ましいのは上述の通りである。
また、展示物として写真６としたが、これに限ることはなく、適宜変更可能である。例えば、展示物としては絵画やリトグラフであってもよい。
また、写真６がクリスタルペーパーからなるとしたが、これに限ることはなく、通常の紙製の写真であってもよい。ただし、クリスタルペーパーとした方が耐水性、耐湿性の観点から好ましいのは上述の通りである。
また、アクリル板５を設けるとしたが、これに限ることはなく、例えばラミネート加工により透明なフィルムで展示物をコーティングしてもよい。
なお、本発明の技術範囲は上記の実施形態に限定されるものではなく、本発明の趣旨を逸脱しない範囲において、種々の変更を加えることが可能である。
【図面の簡単な説明】
【００２８】
【図１】本発明の第１の実施形態としての額縁を示した図であって、写真を入れた様子を示す斜視図である。
【図２】図１の額縁の分解斜視図である。
【符号の説明】
【００２９】
１    額縁
３    マット部
５    アクリル板（保護板部）
６    写真（展示物）
１０  背板部
【図１】
2008149013.tif 000003
【図２】
2008149013.tif 000004